(57)【要約】  【課題】容器の上部に被せることができる円形の天板部分とスカート部を有し、スカート部の内壁の下縁近傍の高さの個所には、当該スカート部の内壁における周方向を５等分する個所に、容器の外周上端に形成されている鍔部の下に嵌まり込んで係止する突起を形成して、容器に対して５点で係止する構造にしたことによって、容器の上に確実に被せることができるにも拘らず、指先で容易に着脱できるキャップとしたことによって、従来のキャップが抱えていた問題を解決すことを課題とする。  【解決手段】缶コーヒーなどの缶飲料の缶に被せるキャップであり、このキャップは缶の上に被せる大きさの天板部分とスカート部を有し、スカート部の内壁の下縁近傍に、周方向に等間隔を隔てた５個所に形成されている。そして各突起は、一定幅を持つ直線形状の辺をキャップ本体の中心に直角方向に向けた扇状に形成され、更に両側端からその中央に向かうに従って膨出した形状を有し、更に上下端から中央に向かうに従って膨出した略半楕円形状を有し、スカート部は直下方に突出した形状になっている。  【選択図】図２
2005145464.tif 000002
【特許請求の範囲】
【請求項１】
外周壁に沿った上端部に平面視円形の突条よりなる鍔部を有する容器に被せるキャップであって、合成樹脂で形成されたキャップ本体のスカート部における内周壁の下部近傍個所の等間隔を隔てた５個所に、前記鍔部の下部に嵌まって係止する突起が形成されていることを特徴とする容器のキャップ。
【請求項２】
キャップ本体のスカート部に形成されている各突起が、当該キャップを底面視した状態において、スカート部の内周壁の一部個所に沿い且つ一定幅を持つ直線形状の辺をキャップ本体の中心に直角方向に向けた扇状に形成されている請求項１に記載のキャップ。
【請求項３】
キャップ本体のスカート部に形成されている各突起が、上下端からその中央に向けて曲面を持って膨出した形状を有している請求項１又は２に記載の容器のキャップ。
【請求項４】
各突起が、両側端から中心方向に向けて曲面を持って膨出した形状に形成されている請求項１ないし３の何れか１項に記載の容器のキャップ。
【請求項５】
スカート部がキャップ本体の天板面に対して垂下方向に突出した形状を有する請求項１ないし４のいずれか１項に記載の容器のキャップ。
【請求項６】
容器が缶コーヒー、缶ジュース、缶紅茶、缶コーラ、缶入り茶、缶入りサイダー、缶入りしるこ、缶入りスープなどの缶飲料用の金属缶又はプラスチック缶よりなるもののキャップである請求項１ないし５のいずれか１項に記載の容器のキャップ。
【請求項７】
容器とキャップとの間には、販売促進用の景品、絵や文字が印刷されたカード又はシール、くじ、応募シールなどのいずれか１種又は複数を入れて保持するための空間が形成されている請求項１ないし６の何れか１項に記載の容器のキャップ。
【発明の詳細な説明】
【技術分野】
【０００１】
本発明は、外周壁に沿った上端に平面視円形の突条よりなる鍔部を有する容器に被せるキャップに関し、更に詳しくは、この鍔部の下部に嵌まって係止する突起がキャップのスカート部における内周壁の下部近傍個所の等間隔を隔てた５個所に形成されている容器のキャップに関する。
【背景技術】
【０００２】
外周壁に沿った上端に平面視円形の突条を有する容器としてよく知られていものに、缶コーヒー、缶ジュース、缶ビールなどの飲料用の缶がある。
この缶は、その成形構造の違いにより、２ピース缶と、３ピース缶とがあり、また、形成材料の違いにより、鉄（ブリキ）製の鉄缶とアルミ缶とがある。
２ピース缶は、缶胴と上蓋の２部分で構成されている缶であり、３ピース缶は、缶胴・缶蓋・缶底の３部分で形成されている缶である。２ピース缶及び３ピース缶のいずれの構造のものも、缶胴の上縁に近い部分をネック成形し、これに続いてネック成形した部分から上方の部分をフランジ成形し、このフランジ成形した内側に缶蓋を入れて、二重巻締めにより缶蓋を缶胴に巻締め、更にこの巻締めした部分を、電気溶接、ナイロン接着剤で接合、溶接半田で接合するなどして、缶胴と缶蓋とを一体構造にする製造工程を経て出来上がっている。このため、このようにして出来上がった缶の外周側壁の上端には、二重巻締めによる突条よりなる鍔部が形成されており、この鍔部は鉄缶及びアルミ缶のいずれにも形成されている。
【０００３】
また、この鍔部は、飲料用の缶だけでなく、缶詰の缶、粉ミルクの缶、水羊羹やゼリーなどを詰めている金属製の缶やプラスチック製の缶などにも形成されている、
【０００４】
またこの鍔部に似たものは、上述した製造工程によるものではないが、ビンや試験管などのガラス製の容器にも形成されており、広口ビンや飲料用のビンの場合にはキャップや王冠を係止させる突起にもなり、試験管の場合には試験管をクリップやピンチで挟んだときの滑り止めにもなる。
【０００５】
また、従来において、上述した各種の缶やガラス製の容器の上にキャップを被せるという考えがある。このキャップは保護カバーなど、呼ばれる名称は様々であるが、キャップを被せる目的は、例えば、従来において、缶飲料の販売促進に有効な景品、硬貨等の物品を缶の上に入れるというために用いられていたことが幾度もあった。
【０００６】
このように缶の上に物品を取り付けるという考えは、景品に限らず、プルトップが未だ開発されていなかった時代に、ジュースの飲み口に孔を開ける金具を保持したり、この金具を缶の上に置いてこれをキャップでカバーするという目的で使用されていたこともあった。
【０００７】
この他にも、容器の飲み口を衛生的に保つという目的で缶の飲み口をキャップでカバーするという目的で用いられることも考えられるが、最近の缶飲料に関しては、自動販売機内の衛生管理が徹底されているため、このためにキャップをする理由は薄れている。
【０００８】
上述した各種の缶やガラス製の容器の上にキャップを被せるときの係止構造として、以下に示す構造のものが公知である。
【０００９】
実公昭１０−７８８８０号公報の添付図の第１図及び第２図には、広口瓶の開口に形成されている突縁３の下方に係止させるための突縁８を、蓋６の内周面下部に沿って輪状に形成された構造のものが示されている。
【００１０】
また、実公昭３６−２９２８０号公報に記載の円筒用キャップのバンドでは、その内周面に円筒体の外周面を周方向に等間隔を隔てた３個所に突起が形成され、この突起で係止する、３点係止構造を有している。
【００１１】
実開平７−４０４６２号公報に記載のワックス缶のスポンジ収納蓋では、円筒部２１のない周面にワックス缶の上端縁に突き当る段部２３が形成され、この段部２３より下に抜け止め突起２７が設けられた構造を有し、同公報の添付図の図１によれば、この突起２７は、蓋の内周面下部における周方向に等間隔を隔てた３個所に形成されている。
【００１２】
実公平３−１１７６３７号公報に記載の容器の保護カバー体は、同公報添付の第１図の（イ）（ロ）及び第２図に示すように、外周縁に突出鍔部を有する容器本体の鍔部の下方に突入させて係止させるための突起４，４・・が、カバー本体１の内周面の下部における周方向に等間隔を設けた４個所に設けられ、この突起４，４・・の有る４点で係止させ、さらに、カバー本体１の内周面における各突起４，４・・の間の個所に前記突出鍔部の内側から係止させる舌片３，３・・が形成された、４点係止構造を有している。
【００１３】
実公昭１５−１０８６８号公報に記載のセルロイド製容器蓋は、蓋１の周縁に夫々内方向に向かって多数の係合突起２を設け、この多数の突起２を容器６の上部に形成されている環状突条３の下方に嵌め入れて、この蓋を容器に係止させる、多数点係止構造を有している。
【００１４】
実公平４−３０１１４号公報に記載の缶用被せ蓋は、その内周面の周方向の等間隔を設けた個所に、金属缶１０のエッジ１１の下方に突入させるための、金属缶１０の外壁に沿う弧形状を有する突起よりなる係合部１７が、被せ蓋２の内周壁の等間隔を設けた多数個所に、内側に向けて形成されている。
【発明の開示】
【発明が解決しようとする課題】
【００１５】
しかしながら、実公昭１０−７８８８０号公報の添付図の第１図及び第２図に示すように、蓋６の内周面下部に形成されている突縁８が輪状に形成されていると、蓋６を広口瓶の開口をしっかり閉じることはできるが、蓋６を開閉させるときにこの突縁８も含めて外方向に広げる必要があるため、ゴムや柔軟性が相当に高い樹脂で蓋が形成されていないと、蓋を開ける際に強い力が必要で、子供や年配者が上手に蓋を開けられないことがある。
【００１６】
これに対し、実公昭３６−２９２８０号公報に記載の円筒用キャップのバンドや、実開平７−４０４６２号公報に記載のワックス缶のスポンジ収納蓋は、等間隔を隔てた３個所でキャップや蓋を係止させる構造になっているので、キャップや蓋の着脱が容易である反面、各係止部の対向面に突起が無く、しかも３点という数の少ない係止構造であるため、簡単に蓋が外れてしまうという問題がある。
【００１７】
これに対し、実公平３−１１７６３７号公報に記載の容器の保護カバー体は、カバー本体１の内周面の４個所に設けられている突起４，４・・で係止させ、さらに、舌片３，３・・で係止させるという、容器の突出鍔部の外と内側で係止させるという複雑な構造になっているので、蓋の製造コストが高くなる。また、蓋を開ける際に、蓋を上手に引き上げなければ、蓋が開け難いという問題がある。
【００１８】
これに対し、実公昭１５−１０８６８号公報に記載のセルロイド製容器蓋、及び実公平４−３０１１４号公報に記載の缶用被せ蓋のように、多数の突起で係止させる構造になっていると、蓋を開けるのに強い力が要るという問題がある。特に後者の缶用被せ蓋のように、多数の係合部１７が金属缶１０の外壁に沿う弧形状に形成されていると、この問題が更に大きくなる。
【００１９】
本発明者は、上述した各問題は、キャップの内周面に形成する突起の形状と数を含めた形成個所を工夫することで解決できるのではないかという点に着目し、鋭意検討を重ねてきた。
【００２０】
また、本発明者は、実公平４−３０１１４号公報に記載の缶用被せ蓋、及び実公昭１５−１０８６８号公報に記載のセルロイド製容器蓋のように、キャップの下縁が外方向に反って突出していると、キャップを取り付けた缶を出荷するためにダンボールケースに入れるときに、キャップの突出した部分が段ボールケースや隣りの缶などに引っ掛かって外れることがあるとの知見を得た。
【００２１】
更に、本発明者は、缶飲料用の缶は、背景技術の欄で説明したように、その製造工程において、缶胴の上縁に近い部分をネック成形し、これに続いてネック成形した部分から上方の部分をフランジ成形し、このフランジ成形した内側に缶蓋を入れて、二重巻締めにより缶蓋を缶胴に巻締めているため、巻き締めされて出来た縁部に沿った直ぐ下の側壁部分がネックになって少し絞られた形状を持つ缶が多い。このため、缶にキャップしたときに、キャップの下縁の直ぐ下は指先を引っ掛け易いように、ネックによる低い段部があるため、上述したようにキャップの下縁を外方向に広げなくても、上手に指先でキャップの下縁を引っ掛けてキャップを開けることができるとの知見を得た。
【００２２】
本発明者は、上述した検討に、さらにこの点も加えた。
そして、その結果、ついに本発明に係る容器のキャップを発明するに至ったものである。
【００２３】
このような経緯を経て完成するに至った本発明に係る容器のキャップは、容器の上部に被せることができる円形の天板部分とスカート部を有し、スカート部の内壁の下縁近傍の高さの個所であって、前記スカート部の内壁における周方向を５等分する個所に、容器の外周上端に形成されている鍔部の下に嵌まり込んで係止する突起を形成して、容器に対して５点で係止する構造にしたことによって、容器の上にしっかりと被せることができるにも拘らず、指先で容易に着脱できるキャップとしたことによって、従来のキャップが抱えていた問題を全て解決することができるのである。
【課題を解決するための手段】
【００２４】
以上の課題を解決する本発明に係る容器のキャップにおいては、外周壁に沿った上端部に平面視円形の突条よりなる鍔部を有する容器に被せるキャップであって、合成樹脂で形成されたキャップ本体のスカート部における内周壁の下部近傍個所の等間隔を隔てた５個所に、前記鍔部の下部に嵌まって係止する突起が形成されていることを特徴とするものである。
【００２５】
本発明に係る容器のキャップにおいては、外周壁に沿った上端部に平面視円形の突条よりなる鍔部を有する容器の上に被せるものであって、これに見合った大きさの天板部分と短いスカート部が一体形成された、比較的柔軟性のある合成樹脂で一体形成されたキャップ本体に、容器上端の鍔部の下方に突入させて係止するための突起が形成されたものである。
【００２６】
この合成樹脂としては特に限定されるものではないが、具体的には、例えば最適な材料の１つとして、柔軟性があり、缶用キャップとして成形がし易く、気候や自動販売機内の温度環境による膨張や収縮率が小さく、反りなどの形状変化が小さい上、廉価であるポリプロピレンが挙げられる。このように構成すると、四季や自動販売機による加熱や冷却によっても、キャップが自然に外れたり、キャップが缶に強く付いて外し難くなるようなことはないのである。
【００２７】
このように突起を、スカート部の内側に等間隔を隔てた５ヶ所に形成したのは、キャップを容器に安定して係止させるとともに、指先で引っ掛けて開けることができるようにするためである。
【００２８】
その理由は、出願人が突起の数が異なるキャップを、１ｍｍ厚のポリプロピレン製のものを試作して、これらを順に缶飲料の缶に被せて試験をした結果、５箇所で係止させたものは、キャップが安定して缶に係止される結果、不用意に蓋が外れないことが判明したのである。
【００２９】
このように構成すると、突起の数が適正であることに加えて、等間隔を隔てた５点支持は、各点の対向方向において、スカート部の内壁に突起が位置していないため、キャップを外すときに直径方向に強く広げる力が加わっていなくても、キャップを外すことができるからである。例えば、スカート部の内壁の対向方向に突起が形成されていると、双方の突起が容器の縁部を乗り越えるためにキャップを直線方向に広げる比較的強い力は必要になる。キャップを容器に被せるときでも同じことが言える。
【００３０】
そして、本発明者は、等間隔を隔てた５箇所で係止させる構造のキャップを、指先で引っ掛けて缶から取り外す操作を繰り返し行なった結果、比較的容易に取り外すことができることが判明した。この比較的容易という程度は、子供や年配者でも容易に取り外すことができる程度を想定したものである。
【００３１】
このような特徴を有する本発明の容器のキャップは、上下方向の高さは特に限定されるものではないが、例えば、容器の縁部の上端部にキャップの天板の下面が接する高さのものから、容器の蓋の上に高さのある大きな空間を形成して、この空間に物品を入れることができるものまで想定されており、後者のものについては、容器の上端部に接当してキャップの高さを一定に保つ突起又は突条をスカート部の内壁に形成する必要がある。
【００３２】
このようにして本発明に係る容器のキャップを形成すると、着脱が容易で、しかも不用意に容器から外れないキャップになる。
【００３３】
特に、容器の口や縁部が微妙に変形しているときでも、突起の対向方向に突起は位置していないため、この変形した形状を吸収した係止や着脱が確実にできるのである。
【００３４】
又、本発明に係る容器のキャップは、容器の上を保護したり、又は容器上におまけ等の物品を入れて保持するための空間を形成するために用いられる。
【００３５】
そして次に挙げる本発明の請求項２に記載の容器のキャップにおいては、更に、キャップ本体のスカート部に形成されている各突起が、当該キャップを底面視した状態において、スカート部の内周壁の一部個所に沿い且つ一定幅を持つ直線形状の辺をキャップ本体の中心に直角方向に向けた扇状に形成されている。
【００３６】
このように突起を上述した扇状に形成すると、突起の形状が安定し、欠けたりしないのである。また、このような形状は横方向の両端間の中心が、容器の縁部の下に嵌まって係止する部分になり、上述した５点の間隔を一定に保つ上、さらに、キャップを取り外すときに、各突起の内側に向けた直線縁に沿って容器の縁部を乗り越えることができるため、開け易くなるのである。
【００３７】
そして本発明の請求項３に記載の容器のキャップにおいては、キャップ本体のスカート部に形成されている各突起が、上下端からその中央に向けて曲面を持って膨出した形状を有しているのである。
【００３８】
このように突起の上下方向の中央が曲面を持って膨らんでいると、容器の縁部にこの曲面が円滑に乗り上げるためキャップの着脱が円滑に行なえるのである。また、容器の開口や縁部に上下方向の微妙なずれがあっても、突起の曲面がこれを吸収するのである。
【００３９】
そして本発明の請求項４に記載の容器キャップは、各突起が、両側端から中心方向に向けて曲面を持って膨出した形状に形成されているものである。
【００４０】
このように、各突起が、その両端から中央に向かうに従って曲面を持って膨出していると、キャップの着脱において、容器の縁部にこの曲面が円滑に乗り上げるため、キャップの着脱が円滑に行なえるのである。
【００４１】
そして、本発明の請求項５に記載の容器のキャップにおいては、スカート部がキャップ本体の天板面に対して垂下方向に突出した形状を有するものである。
【００４２】
このように、スカート部が天板面に対して垂下方向に突出した形状に構成されていると、キャップは、容器の側壁から外方向にそれほど突出しないので、キャップを取り付けた缶を出荷するためにダンボールケースに入れるときに、キャップが段ボールケースや隣りの缶などに引っ掛かって外れたりしないのである。特に容器が缶飲料用の缶である場合には、自動販売機の中で転がったときでも、キャップが外れたりしないのである。
【００４３】
そして、本発明の請求項６に記載の容器のキャップにおいては、前記いずれかの構成を持った容器のキャップが、缶コーヒー、缶ジュース、缶紅茶、缶コーラ、缶入り茶、缶入りサイダー、缶入りしるこ、缶入りスープなどの缶飲料用の金属缶又はプラスチック缶よりなる容器などに好適に適用されるキャップである。
【００４４】
本発明においては、これらの缶容器用のキャップとして開発されたものであり、缶飲料用の缶の上部への着脱が確実に且つ容易に行えるのである。
【００４５】
ここにおいて、缶としては、缶胴と缶蓋の２部分で構成される２ピース缶、缶胴と缶蓋と缶底の３部分で構成される３ピース缶、鉄製に金属缶、アルミ缶、プラスチック缶、更には、缶の内壁が合成樹脂製フィルムでラミネートされた缶等が挙げられる。
【００４６】
そして、本発明においては、更に、上述した各構成の容器のキャップとして、容器の蓋の上に販売促進用の景品、絵や文字が印刷されたカード又はシール、くじ、応募シールなどのいずれか又は複数を入れて保持するための空間を形成するキャップを、特に想定し、この景品等を確実に収納しえるようにしたものである。
【発明の効果】
【００４７】
本発明に係る容器のキャップにおいては、容器の鍔部の下に嵌め入れて係止する突起を、スカート部の内壁に等間隔を隔てた５箇所に形成し、この５点の突起で係止させる構造にしたことによって、キャップを安定した強さで缶に被せて係止することができる上、その着脱は容易であるにも拘らず、不用意に蓋が外れないなどの効果を奏するのである。
【００４８】
また、本発明に係る容器のキャップにおいては、その各突起を、スカート部の内周壁の一部個所に沿い且つ一定幅を持つ直線形状の辺をキャップ本体の中心に直角方向に向けた扇状に形成したことによって、突起の形状を安定化させることができることによって、突起の欠けが無くなるのであり、そして、特にこのような形状によって突起の横方向の両端の間の中心が、容器の縁部の下に嵌まって係止する部分になるため、係止する５点の間隔を一定に保つことができる結果、良好な係止状態を確保することができるようになり、また、キャップを取り外すときには、各突起の内側に向けた直線縁に沿って容器の縁部を乗り越えることができるようになるので、キャップの着脱が容易にできるなどの効果を奏するのである。
【００４９】
更に、本発明に係る容器のキャップにおいては、その各突起が、上下端からその中央に向けて曲面を持って膨出した形状としたことによって、容器の縁部にこの曲面が円滑に乗り上げることができるので、円滑にキャップの着脱ができるようになるのであり、また、容器の開口や縁部に上下方向の微妙なズレがあっても、突起の曲面がこれを吸収して、キャップを安定した状態で容器に被せることができるなどの効果を奏するのである。
【００５０】
本発明に係る容器のキャップにおいては、更に、その各突起を、その両側端から中心方向に向けて曲面を持って膨出した形状に形成されているので、キャップの着脱時には、容器の縁部にこの曲面が円滑に乗り上げることができる結果、円滑な着脱ができるなどの効果を奏するのである。
【００５１】
そして、本発明に係る容器のキャップにおいては、キャップのスカート部をキャップ本体の天板面に対して垂下方向に突出した形状に形成したことによって、キャップを容器に被せたときに、このキャップの下縁が、容器の側壁から外方向に然程突出していないので、キャップを取り付けた缶を出荷するためにダンボールケースに入れるときに、キャップが段ボールケースや隣りの缶などに引っ掛かって外れたりしないのであり、また、特に容器が缶飲料用の缶である場合には、自動販売機の中で転がったときでも、キャップがその衝撃で外れたりしないなどの効果を奏するのである。
【００５２】
そして、更に、本発明に係る容器のキャップにおいては、缶コーヒー、缶ジュース、缶紅茶、缶コーラ、缶入り茶、缶入りサイダー、缶入りしるこ、缶入りスープなどの缶飲料用の金属缶又はプラスチック缶に被せるキャップとして適用することによって、また、更に、容器の蓋の上に販売促進用の景品、絵や文字が印刷されたカード又はシール、くじ、応募シールなどのいずれか又は複数を入れて保持するための空間を形成するキャップとしたことによって、消費者を強く惹きつける缶飲料の容器用として好適に採用できるなどの効果を奏するのである。
【発明を実施するための最良の形態】
【００５３】
本発明を実施するため最良の形態は、缶コーヒーなどの缶飲料の缶に被せるキャップであり、このキャップは缶に被せることができる大きさの天板部分とスカート部を有し、スカート部の内壁の下縁部近傍に、周方向に等間隔を隔てた５個所に形成されている。そして各突起は、一定幅を持つ直線形状の辺をキャップ本体の中心に直角方向に向けた扇状に形成され、更に両側端からその中央に向かうに従って膨出した形状を有し、更に上下端から中央に向かうに従って膨出した略半楕円形状を有し、スカート部は垂下方向に突出した形状のものが挙げられる。そして。このキャップは、缶飲料の缶の上に販売促進用の物品を入れるために用いられるものを挙げる。
【実施例１】
【００５４】
図１は本発明の実施例１による容器のキャップを示す正面断面図であり、図２は同じくその底面図であり、図３は同じくその使用状態を示す正面断面図であり、図４は突起による係止状態を拡大して示す正面部分拡大断面図である。
これら各図に示す実施例１による容器のキャップ１は、特に缶コーヒー飲料の缶１０に被せるためのキャップであり、このキャップ１はポリプロピレン製の一体成形品である。
【００５５】
図１及び図２に示すように、このキャップ１は、円形の天板部分２とスカート部３を有し、円形の天板部分の外径は５４．２ｍｍ、スカート部３の高さが６ｍｍ、各面の肉厚は略１ｍｍあり、天板部分２の角部にはアールを設け角丸め処理がなされている。
【００５６】
そして、図２に示すように、前記スカート部３の内周面には周方向に均等に５等分する個所に、それぞれ突起４，４・・・が形成されており、各突起４，４・・・の上下の中心位置の高さはスカート部３の下端から上方に１．７ｍｍの高さに形成されている。
【００５７】
特に、図２に示すように、実施例１のキャップ１を底面視すると、各突起４，４・・・は、スカート部３の内周壁の一部個所に沿い且つ一定幅を持つ直線形状の辺をキャップ本体の中心０に直角９方向に向けた扇状に形成されており、この幅は各突起４，４・・・が内側に突出する深さで決められ、この深さは、各突起４，４・・・とも約１ｍｍである。つまりこの深さは缶飲料の缶の上端部に形成されている鍔部１１の外方向に向けた高さに合わせてある。
【００５８】
そして、各突起４，４・・・をキャップ１の内側からスカート部３の内壁に向けて見ると、図１に示すように、上下及び左右の中心が内側に曲面を持って突出した略半楕円形状に形成されている。
【００５９】
前記キャップ１はこのように形成されており、このキャップ１を、図３及び図４に示すように、缶飲料の缶１０の外周の上端部に形成されている鍔部１１の下方に上方から嵌め込んで、この鍔部１１と前記各突起４，４・・・とによって上方に向けた係止が行なわれる結果、キャップ１は容器１上に確実に且つ容易に被せることができるのである。
【産業上の利用可能性】
【００６０】
本発明に係る容器のキャップにおいては、例えば缶コーヒーなどの缶飲料の缶の上に被せて、この缶の上蓋とキャップの間の空間に販売促進用の物品を入れるために用いられる。このよう目的に使用されるキャップは、以前にもあったが、キャップの構造、特に係止構造に問題があって、キャップが不用意に外れたり、キャップが開け難いことがあったが、本発明ではこの問題を解消した。また、実公平４−３０１１４号公報に記載の缶用被せ蓋のように、複数の部品を組み合わせたような複雑な構造になっていないので、低コストで製造でき、着脱も容易である。このため、少なくとも、この分野で、従来のキャップと比較してキャップとして広範な利用が期待できるのである。
【図面の簡単な説明】
【００６１】
【図１】図１は、本発明の実施例１に係る容器のキャップを示す正面断面図である。
【図２】図２は、同じくその底面図である。
【図３】図３は、同じくその使用状態を示す正面断面図である。
【図４】図４は、容器（缶）の鍔部にキャップの突起による係止状態を拡大して示す正面部分拡大断面図である。
【符号の説明】
【００６２】
１  容器のキャップ
２  天板部分
３  スカート部
４  突起
１０  缶
１１  鍔部
【図１】
2005145464.tif 000003
【図２】
2005145464.tif 000004
【図３】
2005145464.tif 000005
【図４】
2005145464.tif 000006